(57)【要約】      （修正有）【課題】撮像光学系に係る情報について視認性の高い表示機能を有する光学装置を提供する。【解決手段】レンズ鏡筒１は、光学素子である光学レンズを備える撮像光学系１１を有し、光学レンズを光軸に沿って駆動する。操作リング１６によって光学レンズの駆動操作が行われ、レンズシステム制御部１２は操作リング１６の操作が検出されると、光学レンズの位置に関する位置情報を表示部１７に表示する際、操作リング１６の操作に応じてアナログ目盛表示を行う第１の表示モードとデジタル数値表示を行う第２の表示モードとを切り替える。【選択図】図１
2019074598.tif 000002
【特許請求の範囲】
【請求項１】
光学素子を備える撮像光学系を有し、前記光学素子を光軸に沿って駆動する光学機器であって、
前記光学素子の位置を検出する位置検出手段と、
前記光学素子を操作するための操作手段と、
前記操作手段による操作を検出する検出手段と、
前記検出手段による検出結果に応じて、前記光学素子を駆動する駆動手段と、
少なくとも前記光学素子の位置に関する位置情報を表示部に表示する際、前記検出手段による検出結果に基づいてアナログ目盛表示を行う第１の表示モードとデジタル数値表示を行う第２の表示モードとを切り替える表示制御手段と、
を有することを特徴とする光学機器。
【請求項２】
前記第１の表示モードにおいては複数の距離目盛を列状に表示され、
前記表示制御手段は、前記第１の表示モードにおいて前記位置情報を位置指標として表示することを特徴とする請求項１に記載の光学機器。
【請求項３】
前記表示制御手段は、前記検出手段による検出結果に応じた前記駆動手段による前記光学素子の駆動速度が所定の速度以上であると、前記第１の表示モードとし、前記駆動速度が所定の速度未満であると前記第２の表示モードとすることを特徴とする請求項１又は２に記載の光学機器。
【請求項４】
前記光学素子の所定の位置を目標位置として設定する目標位置設定手段を備え、
前記表示制御手段は前記第１の表示モードでは前記目標位置を前記位置指標とは異なる形態の目標指標で表示することを特徴とする請求項２に記載の光学機器。
【請求項５】
前記表示制御手段は、前記第１の表示モードの際に前記位置指標が前記目標指標を含む所定の範囲に位置すると第２の表示モードに切り替えることを特徴とする請求項４に記載の光学機器。
【請求項６】
前記光学素子はフォーカスレンズであり、
前記表示制御手段は前記位置情報に基づいて得られたピント位置を前記表示部に表示することを特徴とする請求項１乃至５のいずれか１項に記載の光学機器。
【請求項７】
前記撮像光学系を通過する光量を調整する絞り部と、
前記フォーカスレンズの位置と前記絞り部の絞り値とに基づいて被写界深度の範囲を示す被写界深度情報を得る算出手段とを有し、
前記表示制御手段は前記表示部に前記被写界深度情報に基づいて前記被写界深度の範囲を規定する被写界深度指標を表示することを特徴とする請求項６に記載の光学機器。
【請求項８】
前記表示制御手段は、前記第１の表示モードにおいては前記被写界深度指標を前記位置情報を示す位置指標と異なる形態で表示し、前記第２の表示モードにおいては前記被写界深度指標をデジタル数字で表示することを特徴とする請求項７に記載の光学機器。
【請求項９】
前記表示制御手段は、前記第２の表示モードにおいて前記被写界深度指標を表示する際には、前記位置指標とフォントを異ならせることを特徴とする請求項８に記載の光学機器。
【請求項１０】
前記表示制御手段は、前記第２の表示モードにおいて前記被写界深度指標を表示する際には、前記被写界深度指標を反転表示することを特徴とする請求項８に記載の光学機器。
【請求項１１】
前記表示制御手段は、前記被写界深度情報に基づいて前記目標位置が前記被写界深度の範囲を含む所定の範囲に位置すると前記第２の表示モードとすることを特徴とする請求項７乃至１０のいずれか１項に記載の光学機器。
【請求項１２】
前記表示制御手段は、前記光学素子の位置が前記目標位置を含み前記被写界深度範囲を含む所定の範囲に位置すると前記第２の表示モードとすることを特徴とする請求項１１に記載の光学機器。
【請求項１３】
前記駆動手段が前記フォーカスレンズを所定の量で反復駆動するウォブリング駆動を行っている際、前記表示制御手段は前記第１の表示モードとすることを特徴とする請求項７乃至１２のいずれか１項に記載の光学機器。
【請求項１４】
前記光学素子はズームレンズであり、
前記表示制御手段は前記ズームレンズの駆動である場合、前記第１の表示モードにすることを特徴とする請求項１乃至５のいずれか１項に光学機器。
【請求項１５】
前記操作手段は前記光学機器の外周面に配置され、回転操作される操作リングであり、
前記検出手段は前記操作リングの回転量を検出することを特徴とする請求項１乃至１４のいずれか１項に記載の光学機器。
【請求項１６】
前記操作リングの回転に合わせてクリック感を生じさせるクリック感発生部と、
前記クリック感発生部によるクリック感を生じさせるか否かを切り替えるクリック切り替え手段と、を有し、
前記表示制御手段は、前記クリック切り替え手段の状態に応じて前記第１の表示モードおよび前記第２の表示モードのいずれかに切り替えることを特徴とする請求項１５に記載の光学機器。
【請求項１７】
前記操作手段は接触によって操作を行う接触操作部であり、
前記検出手段は前記接触操作部を接触する際の押圧力を検出しており、
前記表示制御手段は前記検出手段で検出された前記押圧力に基づいて前記第１の表示モードおよび前記第２の表示モードのいずれかに切り替えることを特徴とする請求項１乃至１４のいずれか１項に記載の光学機器。
【請求項１８】
前記光学機器に着脱可能に装着され、前記駆動手段に対して前記光学素子の駆動速度を指示する外部操作手段を有し、
前記表示制御手段は、前記外部操作手段で指示された駆動速度に基づいて前記第１の表示モードおよび前記第２の表示モードのいずれかに切り替えることを特徴とする請求項１乃至１４のいずれか１項に記載の光学機器。
【請求項１９】
前記外部操作手段は、少なくとも前記駆動速度を指示するための第１の駆動速度モードと当該第１の駆動速度モードよりも駆動速度が遅い第２の駆動速度モードとを備え、ユーザの操作に応じて前記第１の駆動速度モードおよび前記第２の駆動速度モードのいずれかに切り替えており、
前記表示制御手段は前記第１の駆動速度モードの際には前記第１の表示モードとすることを特徴とする請求項１８記載の光学機器。
【請求項２０】
前記光学機器を介して光学像が結像する撮像装置本体と前記光学機器との間には前記撮像光学系の状態を変更する変更手段が選択的に配置され、
前記表示制御手段は前記変更手段が配置されたか否かに応じて前記第１の表示モードおよび前記第２の表示モードのいずれかに切り替えることを特徴とする請求項１乃至１４のいずれか１項に記載の光学機器。
【請求項２１】
前記変更手段は前記撮像光学系の状態として光学像の結像位置を変更しており、
前記表示制御手段は、前記変更手段が配置されると前記第２の表示モードとすることを特徴とする請求項２０に記載の光学機器。
【請求項２２】
前記光学機器がマウントアダプターによって、前記光学機器を介して光学像が結像する撮像装置本体に装着された際、前記表示制御手段は前記第１の表示モードとすることを特徴とする請求項１に記載の光学機器。
【請求項２３】
前記光学機器が前記光学機器を介して光学像が結像する撮像素子を備える撮像装置本体に装着された際、前記表示制御手段は、少なくとも前記撮像素子における画素ピッチを含む情報が得られないと前記第１の表示モードとすることを特徴とする請求項１に記載の光学機器。
【請求項２４】
光学素子を備える撮像光学系と、前記光学素子を操作するための操作手段とを有し、前記光学素子を光軸に沿って駆動する光学機器の制御方法であって、
前記光学素子の位置を検出する位置検出ステップと、
前記操作手段による操作を検出する検出ステップと、
前記検出ステップによる検出結果に応じて、前記光学素子を駆動する駆動ステップと、
少なくとも前記光学素子の位置に関する位置情報を表示部に表示する際、前記検出ステップによる検出結果に基づいてアナログ目盛表示を行う第１の表示モードとデジタル数値表示を行う第２の表示モードとを切り替える表示制御ステップと、
を有することを特徴とする制御方法。
【請求項２５】
光学素子を備える撮像光学系と、前記光学素子を操作するための操作手段とを有し、前記光学素子を光軸に沿って駆動する光学機器で用いられる制御プログラムであって、
前記光学機器が備えるコンピュータに、
前記光学素子の位置を検出する位置検出ステップと、
前記操作手段による操作を検出する検出ステップと、
前記検出ステップによる検出結果に応じて、前記光学素子を駆動する駆動ステップと、
少なくとも前記光学素子の位置に関する位置情報を表示部に表示する際、前記検出ステップによる検出結果に基づいてアナログ目盛表示を行う第１の表示モードとデジタル数値表示を行う第２の表示モードとを切り替える表示制御ステップと、
を実行させることを特徴とする制御プログラム。
【発明の詳細な説明】
【技術分野】
【０００１】
本発明は光学機器、その制御方法、および制御プログラムに関し、特に、光学機器における設定状況の表示に関する。
【背景技術】
【０００２】
一般に、光学機器の１つであるレンズ鏡筒の外周には、距離目盛および焦点距離目盛が付されており、レンズ鏡筒における現在のピント位置を表示することによって、レンズ光学系における設定状況が一目で確認できるようにされている。そして、レンズ光学系の設定状況を表示する際、電子ペーパ、液晶ディスプレイ、又は有機ＥＬディスプレイなどの表示部を用いて表示することによってその視認性を向上させることが行われている（特許文献１参照）。
【先行技術文献】
【特許文献】
【０００３】
【特許文献１】特開２００７−７２４０７号公報
【発明の概要】
【発明が解決しようとする課題】
【０００４】
しかしながら、上述の特許文献１に記載の電子表示によって表示部にレンズ光学系の設定状況を表示する場合、視認性について次のような課題がある。
【０００５】
例えば、表示部にピント位置を表示する表示する際には、アナログ調の目盛と指標を表示するか又はデジタル調のピント位置の数値を表示するかのいずれかが行われる。アナログ調の表示の場合、ピント位置を大きく移動する場合又は素早く移動する際には、直感的に視認できる結果操作しやすい。ところが、正確なピント位置を視認することが難しい。
【０００６】
一方、デジタル調の表示の場合、ピント位置を微調整するなど正確にピント位置を合わせる際の視認性は高い。ところが、ピント位置を素早く移動させると、表示された数値の変化が素早くなるので、表示がちらつきピント位置を視認することが困難でとなる。
【０００７】
従って、本発明の目的は、撮像光学系に係る情報を表示する際の視認性を向上させることのできる光学機器を提供することにある。
【課題を解決するための手段】
【０００８】
上記の目的を達成するため、本発明による光学機器、光学素子を備える撮像光学系を有し、前記光学素子を光軸に沿って駆動する光学機器であって、前記光学素子の位置を検出する位置検出手段と、前記光学素子を操作するための操作手段と、前記操作手段による操作を検出する検出手段と、前記検出手段による検出結果に応じて、前記光学素子を駆動する駆動手段と、少なくとも前記光学素子の位置に関する位置情報を表示部に表示する際、前記検出手段による検出結果に基づいてアナログ目盛表示を行う第１の表示モードとデジタル数値表示を行う第２の表示モードとを切り替える表示制御手段と、を有することを特徴とする。
【発明の効果】
【０００９】
本発明によれば、光学素子の位置情報などの撮像光学系に係る情報を表示する際の視認性を向上させることができる。
【図面の簡単な説明】
【００１０】
【図１】本発明の第１の実施形態による光学機器の１つであるレンズ鏡筒が装着された撮像装置の一例を説明するための図である。
【図２】図１に示すカメラの制御系の一例を示すブロック図である。
【図３】図２に示す液晶表示部を表示制御する際の第１および第２の表示モードを説明するための図である。
【図４】図２に示す液晶表示部の表示切替制御の一例を説明するためのフローチャートである。
【図５】図２に示す液晶表示部にその他の情報の１つである被写界深度をピント位置とともに表示する例を説明するための図である。
【図６】本発明の第２の実施形態に係るカメラにおいて液晶表示部における表示を説明するための図である。
【図７】本発明の第２の実施形態に係るカメラにおける液晶表示部の表示切替制御を説明するためのフローチャートである。
【図８】本発明の第２の実施形態に係るカメラにおいて目標位置ととともに現在のピント位置における被写界深度範囲を表示する例を説明するための図である。
【図９】本発明の第３の実施形態に係るカメラの一例を説明するための図である。
【図１０】図９に示すカメラの制御系の一例を示すブロック図である。
【図１１】本発明の第４の実施形態に係るカメラの一例を説明するための図である。
【図１２】図１１に示すカメラの制御系の一例を示すブロック図である。
【図１３】本発明の第５の実施形態に係るカメラの一例を破断してその内部を示す図である。
【図１４】図１３に示すカメラの制御系の一例を示すブロック図である。
【図１５】マウントアダプターが取り付けられたカメラの一例を破断してその内部を示す図である。
【発明を実施するための形態】
【００１１】
以下に、本発明の実施の形態による光学機器の一例について図面を参照して説明する。
【００１２】
［第１の実施形態］
図１は、本発明の第１の実施形態による光学機器の１つであるレンズ鏡筒が装着された撮像装置の一例を説明するための図である。そして、図１（ａ）は撮像装置を破断してその内部を示す図であり、図１（ｂ）は撮像装置を上側から見た図である。
【００１３】
図示の撮像装置は、例えば、一眼レフタイプのデジタルカメラ（以下単にカメラと呼ぶ）であり、カメラ本体（カメラボディ：撮像装置本体）２には、レンズ鏡筒である撮影レンズユニット（以下単に撮影レンズ）１が交換可能に装着されている。
【００１４】
撮影レンズ１は光軸１０を備える撮像光学系１１を有しており、撮像光学系１１には、フォーカスレンズ（光学素子又は光学レンズ）１１ａが備えられている。さらに、撮影レンズ１には、レンズ基板１３が備えられ、当該レンズ基板１３にはレンズシステム制御部１２などの電子部品が搭載されている。そして、レンズシステム制御部１２は撮影レンズ１の制御を司る。
【００１５】
また、撮影レンズ１には、レンズ駆動部１４およびレンズ位置検出センサ１５が備えられ、レンズ駆動部１４によって撮像光学系１１が駆動されて焦点調整などか行われる。なお、レンズ位置検出センサ１５によってフォーカスレンズ１１ａの位置が検出される。
【００１６】
撮影レンズ１の外周面には操作リング１６が配設されるとともに、液晶表示部１７が配置されている。そして、液晶表示部１７には、フォーカスレンズ１１ａの位置などのレンズ位置を示す情報などが表示される。
【００１７】
図示のように、撮像光学系１１には撮像光学系１１を通過する光量を調整する絞り部１８が備えられている。また、操作リング１６を回転操作した際の回転量は回転量検出部１９によって検出される。
【００１８】
カメラボディ２には、カメラシステム制御部２１が備えられており、カメラシステム制御部２１はカメラ全体の制御を司る。撮像素子２２には撮影レンズ１を介して光学像が結像する。撮像素子２２の前段には、クイックリターンミラーユニット２３が配置されており、クイックリターンミラーユニット２３はメインミラー２３ａおよびサブミラー２３ｂを有している。
【００１９】
サブミラー２３ｂで反射した光学像はＡＦユニット２４に結像する。そして、ＡＦユニット２４は光学像に応じて測距を行う。画像表示部２５には、撮像素子２２で得られた画像が表示されるとともに、撮影設定に係る情報などが表示される。
【００２０】
メインミラー２３ａで反射した光学像はファインダ光学系２８に導かれ、これによって、撮影者であるユーザはファインダ光学系２８を介して光学像を観察することができる。カメラボディ２の上面にはレリーズ釦２６ａが配置され、撮影レンズ１およびカメラボディ２は電気接点２７によって接続され、これによって、レンズシステム制御部１２とカメラシステム制御部２１とは相互に通信を行う。
【００２１】
図２は、図１に示すカメラの制御系の一例を示すブロック図である。なお、図２において、図１に示す構成要素と同一の構成要素について同一の参照番号を付す。
【００２２】
レンズシステム制御部１２は、フォーカスレンズ駆動部１４、絞り部１８、および液晶表示部１７を制御する。さらに、レンズシステム制御部１２は、レンズ位置検出センサ１５および回転量検出部１９の検出結果に基づいてそれぞれ光学レンズ（例えば、フォーカスレンズ１１ａ）の位置および操作リング１６の回転量を算出する。また、レンズシステム制御部１２は電気接点２７を介してカメラシステム制御部２１と通信を行って、カメラシステム制御部２１から駆動命令などを受ける。
【００２３】
レンズシステム制御部１２から駆動命令を受けると、フォーカスレンズ駆動部１４はフォーカスレンズ１１ａを光軸１０に沿って移動し、撮像素子２２に結像する光学像の焦点状態を調整する。そして、レンズシステム制御部１２はレンズ位置検出センサ１５の検出結果に応じてフォーカスレンズ１１ａの位置を求める。
【００２４】
操作リング１６を撮影者が回転操作（駆動操作）した際の回転量が回転量検出部１９によって検出され、レンズシステム制御部１２は当該回転量（つまり、操作量）に応じてレンズ駆動１４に駆動命令を送る。フォーカスレンズ１１ａの位置に応じて、レンズシステム制御部１２は光学像が撮像素子２２に結像する際の結像面から被写体までの距離を示すピント位置を算出する。例えば、カメラの１．５ｍ前方に被写体が位置し、当該被写体にピントが合っている場合には、ピント位置は１．５ｍとなる。
【００２５】
レンズシステム制御部１２は、得られたピント位置に係る情報およびフォーカスレンズ１１ａの位置に関する情報を液晶表示部１７に表示する。さらに、レンズシステム制御部１２はカメラシステム制御部２１から命令を受けて、絞り部１８を制御して、例えば、絞りばね（図示せず）を絞り込むことによって撮像光学系１１を通過する光量を調整する。
【００２６】
なお、レンズシステム制御部１２は、前述のようにしてフォーカスレンズ１１ａの位置および駆動速度を求めるとともに、撮影レンズ１の設定および電気接点２７によるカメラボディ２との接続状態などを検出する。
【００２７】
撮像光学系１１を通過した光学像は、図１（ａ）に示すように、クイックリターンミラーユニット２３がダウン状態においては、メインミラー２３ａおよびサブミラー２３ｂによって反射される。そして、反射光はそれぞれファインダ光学系２８およびＡＦユニット２４に導かれる。
【００２８】
ＡＦユニット２４は、受光した反射光に基づいて、所謂位相差検出による焦点検出を行う。一方、ファインダ光学系２８に導かれた反射光（つまり、光学像）は接眼レンズを介して撮影者に導かれる。
【００２９】
クイックリターンミラーユニットが、光軸１０から退避するアップ状態である場合には、撮像光学系１１を通過した光学像は撮像素子２２に結像する。撮像素子２２は、光電変換によって光学像に応じた電気信号を出力し、当該電気信号はＡ／Ｄ変換器（図示せず）による量子化処理によってデジタル信号に変換される。
【００３０】
画像処理部３１は、ホワイトバランス回路、ガンマ補正回路、および補間演算回路などを有している。画像処理部３１は、カメラシステム制御部２１の制御下でデジタル信号に対して所定の画像処理を行って画像データを生成する。そして、画像処理部３１は当該画像データをメモリ部３２に記憶する。
【００３１】
カメラシステム制御部２１はＣＰＵ（中央演算処理装置）などを備え、前述のように、撮影レンズ１およびカメラボディ２の制御を統括する。カメラシステム制御部２１は、撮影の際にはタイミング信号などを生成してカメラの各部に出力する。カメラシステム制御部２１は、レリーズ釦２６ａなどの操作部から操作指示を受け付ける。そして、カメラシステム制御部２１は、該指示に応じてＡＦセンサ２４および撮像素子２２などを制御するとともに、レンズシステム制御部１２に命令を送信する。
【００３２】
図３は、図２に示す液晶表示部を表示制御する際の第１および第２の表示モードを説明するための図である。そして、図３（ａ）および図３（ｂ）は第１の表示モードを示す図であり、図３（ｃ）および図３（ｄ）は第２の表示モードを示す図である。
【００３３】
図３（ａ）および図３（ｂ）に示す第１の表示モードにおいては、液晶表示部１７には複数の目盛が列状に表示され、フォーカスレンズ１１ａの位置に関する位置情報が指標（位置指標）によって表示される。以下、図３（ａ）および図３（ｂ）に示す表示をアナログ調目盛表示（又はアナログ目盛表示）と呼ぶ。
【００３４】
図３（ｃ）および図３（ｄ）に示す第２の表示モードでは、フォーカスレンズ１１ａ位置に関する位置情報が数値で表示される。以下、図３（ｃ）および図３（ｄ）に示す表示をデジタル調数値表示（又はデジタル数値表示）と呼ぶ。
【００３５】
ところで、液晶表示部１７は密に配置された複数の画素を有しており、数字および図を表示することが可能であり、前述のようにアナログ調の目盛およびデジタル調の数値を表示することができる。
【００３６】
まず、図３（ａ）および図３（ｂ）を参照して、第１の表示モードにおいては、液晶表示部１７には、固定指標４１および距離目盛列４２が表示される。さらに、撮像光学系１１のピント位置に対応する距離目盛４２が表示され、距離目盛列４２は複数の距離メモリ４２ａ〜４２ｆを有している。
【００３７】
ここでは、固定指標４１によって指示される距離目盛４２が現在の撮像光学系１１におけるピント位置である。フォーカスレンズ１１ａの位置に応じて、レンズシステム制御部１２は固定指標４１に対して距離目盛４２を相対的に図中左右に移動することによって撮像光学系１１におけるピント位置を表示する。
【００３８】
図３（ａ）に示す例では、ピント位置が約２．７ｍであることを示している。また、図３（ｂ）に示す例では、図３（ａ）に示す状態から距離目盛４２が至近側である右側に移動してピント位置が約１．４ｍに変更されたことが示されている。
【００３９】
次に、図３（ｃ）および図３（ｄ）を参照して、第２の表示モードにおいては、液晶表示部１７には、撮像光学系１１の現在のピント位置を示すデジタル調数値４３が表示される。さらに、フォーカスレンズ１１ａを移動した際のピント位置の移動可能範囲が示され、ここでは、至近端４４ａおよび無限遠端側４４ｂで規定される移動可能範囲が表示される。
【００４０】
なお、至近端４４ａおよび無限遠端側４４ｂはそれぞれ図３（ａ）に示す距離目盛４２ａおよび４２ｆに対応する。そして、図３（ａ）および図３（ｂ）に示す撮像光学系１１のピント位置をデジタル調数値表示すると、それぞれ図３（ｃ）および図３（ｄ）に示すように表示される。
【００４１】
図４は、図２に示す液晶表示部の表示切替制御の一例を説明するためのフローチャートである。なお、図示のフローチャートに係る処理は、レンズシステム制御部１２の制御下で行われる。
【００４２】
表示切替制御を開始すると、レンズシステム制御部１２は、レンズ位置検出センサ１５によって検出されたフォーカスレンズ１１ａの位置に応じて、現在のフォーカスレンズ１１ａの位置におけるピント位置を算出する（ステップＳ１０１）。
【００４３】
続いて、レンズシステム制御部１２は、第２の表示モードによってピント位置をデジタル調数値によって液晶表示部１７に表示する（ステップＳ１０２）。例えば、レンズシステム制御部１２は、図３（ｄ）に示す状態を液晶表示部１７に表示する。
【００４４】
次に、レンズシステム制御部１２は、回転量検出部１９によって検出された操作リング１６の回転量を受けて、操作リング１６の回転速度ωが所定の速度ωｎ未満（速度未満）であるか否かを判定する（ステップＳ１０３）、回転速度ωが所定の速度ωｎ未満であると（ステップＳ１０３において、ＹＥＳ）、レンズシステム制御部１２は撮影者がピント位置を微調整しているものと判定して、第２の表示モードによるデジタル調数値の表示を継続する（ステップＳ１０４）。
【００４５】
続いて、レンズシステム制御部１２は回転検出部１９で検出された回転量に基づいて操作リング１６の回転が停止した（ω＝０）であるか否かを判定する（ステップＳ１０５）。操作リング１６の回転が停止していなければ（ステップＳ１０５において、ＮＯ）、レンズシステム制御部１２はステップＳ１０３の処理に戻る。
【００４６】
一方、操作リング１６の回転が停止すると（ステップＳ１０５において、ＹＥＳ）、レンズシステム制御部１２は操作リング１６の回転が停止した状態で所定の時間（一定時間）が経過したか否かを判定する（ステップＳ１０６）。所定の時間が経過しないと（ステップＳ１０６において、ＮＯ）、レンズシステム制御部１２はステップＳ１０５の処理に戻る。所定の時間が経過すると（ステップＳ１０６において、ＹＥＳ）、レンズシステム制御部１２は表示切替処理を終了する。
【００４７】
回転速度ωが所定の速度ωｎ以上（速度以上）であると（ステップＳ１０３において、ＮＯ）、レンズシステム制御部１２は撮影者がピント位置を大きく移動させると判定して、第２の表示モードを第１の表示モードに切り替えて液晶表示部１７にアナログ調目盛を表示する（ステップＳ１０７）。例えば、レンズシステム制御部１２は、図３（ｂ）に示す状態を液晶表示部１７に表示する。そして、レンズシステム制御部１２はステップＳ１０３の処理に戻る。
【００４８】
このようにして、操作リング１６の回転操作に応じた回転速度に基づいて液晶表示部１７の表示モードを切り替える。そして、ピント位置の変化速度が大きい場合には、ピント位置をアナログ調目盛表示する。これによって、撮影者は直感的な操作で目標とするピント位置にフォーカスレンズ１１ａを移動させることができる。一方、ピント位置の変化速度が小さい場合には、ピント位置をデジタル調数値表示する。これによって、撮影者はピント位置の調整を正確に行うことができる。このようにして、表示モードを切り替えれば、撮影者の操作に適したピント位置を液晶表示部１７に表示することができる。
【００４９】
なお、上述の例では、フォーカスレンズ１１ａのピント位置に関する情報を液晶表示部１７に表示するようにしたが、その他の情報を液晶表示部１７に表示するようにしてもよい。
【００５０】
図５は、図２に示す液晶表示部にその他の情報の１つである被写界深度をピント位置とともに表示する例を説明するための図である。そして、図５（ａ）は第１の表示モードを示す図であり、図５（ｂ）および図５（ｃ）は第２の表示モードを示す図である。
【００５１】
いま、撮像素子２２において許容錯乱円δが決定されているとする。この際には、フォーカスレンズ１１ａの位置から求められるピント位置と撮影の際の絞り部１８の絞り値Ｆｎとに基づいて、撮像光学系１１における被写界深度を求めることができる。
【００５２】
図５（ａ）に示す例では、ピント位置とともに被写界深度がアナログ調目盛で表示される。図５（ａ）においては、固定指標４１の他に、固定指標４１と異なる長さの被写界深度指標５１ａおよび５１ｂが表示される。被写界深度は、１つのピント位置において合焦とみなせる範囲であり、ここでは、合焦しているピント位置を挟んで被写界深度指標５１ａおよび５１ｂ（被写界深度情報）によって幅が規定される。つまり、ピント位置よりも至近側の位置を示す被写界深度指標５１ａと無限遠側の位置を示す被写界深度指標５１ｂで規定される幅が被写界深度範囲である。
【００５３】
このように、第１の表示モードにおいては、被写界深度範囲を固定指標４１とは異なる被写界深度指標５１ａおよび５１ｂによって表示する。なお、レンズシステム制御部１２は、ピント位置とカメラシステム制御部２１によって制御される絞り部１８の絞り値Ｆｎとに基づいて被写界深度を求める。被写界深度の算出手法については、既知であるので、ここでは説明を省略する。
【００５４】
図５（ｂ）および図５（ｃ）に示す例では、ピント位置とともに被写界深度がデジタル調目盛で表示される。図５（ｂ）および図５（ｃ）においては、デジタル調数値４３の他に、被写界深度範囲値５３ａおよび５３ｂが表示される。ここでは、被写界深度範囲値５３ａが至近端側の被写界深度範囲値であり、被写界深度範囲値５３ｂが無限遠側の被写界深度範囲値である。
【００５５】
このように、第２の表示モードにおいては、レンズ位置を示すデジタル調数値４３とともに、被写界深度範囲をデジタル数字である被写界深度範囲値５３ａおよび５３ｂによって表示する。これによって、１つのピント位置における被写界深度範囲値を覚えておけば、操作リング１６を操作して被写界深度範囲の端までピント位置を変更する際正確にピント位置を合わせることができる。例えば、１つの被写体にピント位置を設定した後、操作リング１６に別の距離の被写体を被写界深度範囲に入れる操作をする際などにおいて精度よくピント位置の操作をすることができる。
【００５６】
図５（ｂ）に示す例では、札絵者の視認性を向上させるため、被写界深度範囲値５３ａおよび５３ｂを、ピント位置を示すデジタル調数値４３と異なるフォントサイズで表示したが、別のフォントを用いるか又は異なる表示をしてもよい。例えば、図５（ｃ）のように、ピント位置を示すデジタル調数値４３と被写界深度範囲値５３ａおよび５３ｂを反転表示して表示するようにしてもよい。被写界深度範囲値５３ａおよび５３ｂを、至近端４４ａおよび無限遠端側４４ｂで規定される移動可能範囲と異なる表示をすることによって、視認性を向上させることができる。
【００５７】
さらに、上述の例では、被写界深度をピント位置と絞り値とを用いて算出したが、ピント位置および絞り値毎の被写界深度を予め算出してテーブルとして記録するようにしてもよい。
【００５８】
また、ピント位置が素早く変更される場合、デジタル調数値の表示においては表示画面がちらつき視認性が下がる。よって、次のような場合にはアナログ調目盛の表示とすることが望ましい。例えば、撮像光学系１１が焦点距離を変更可能なズームレンズを有する場合には、ズームレンズを駆動する際には、第１のモードであるアナログ調目盛を表示する。そして、ズームレンズの駆動によってピント位置およびピント位置の移動可能範囲が変更されることになるものの、撮影者がズームレンズの駆動中において正確なピント位置を得る必要はない。つまり、撮影者はズームレンズの駆動中においてはおおまかなピント位置とズームレンズの駆動後のピント位置が分かればよい。
【００５９】
デジタル調数値の表示を行っていると、表示画面がちらついてピント位置が至近側および無限遠側のいずれに変化しているかが分かりにくい。そこで、ズームレンズ駆動の際には、第１のモードであるアナログ調目盛を表示することが望ましい。
【００６０】
ここで、フォーカスレンズ１１ａを移動した際の画像のコントラスト変化に応じて焦点位置を求めるコントラストＡＦを行う場合について説明する。
【００６１】
コントラストＡＦを高速化するため、常にフォーカスレンズ１１ａを微小量で反復駆動を繰り返すウォブリング駆動と呼ばれるフォーカスレンズ駆動手法が知られている。なお、ウォブリング駆動については既知であるので、ここでは説明を省略する。
【００６２】
ウォブリング駆動を行うウォブリング駆動モードにおいては、ピント位置が細かく変動するので、第１のモードであるアナログ調目盛を表示することが望ましい。代わりに、デジタル調数値を表示する場合には、ウォブリング駆動によってフォーカスレンズ１１ａが反復駆動する際の中央値をピント位置のデジタル調数値４３として表示することが望ましい。
【００６３】
上述の例では、フォーカスレンズ１１ａの位置をレンズ位置検出センサ１５によって検出したが、フォーカスレンズ駆動部１４による駆動量が分かれば、レンズ位置検出センサ１５の代わりに他の手法を用いるようにしてもよい。例えば、フォーカスレンズ駆動部１４がステッピングモーターを備える場合には、起動の際にまずフォーカスレンズ１１ａを初期位置に移動して、レンズシステム制御部１２から与えられる駆動量に応じてフォーカスレンズ１１ａの位置を算出することができる。つまり、レンズ位置検出センサ１５を備えることなく、レンズシステム制御部１２がレンズ駆動量に応じてフォーカスレンズ１１ａの位置を求めるようにすればよい。
【００６４】
また、上述の例では、フォーカスレンズ１１ａの駆動に応じたフォーカスレンズ１１ａの位置を液晶表示部１７に表示するようにしたが、撮像光学系が備える他のレンズを駆動した際に、当該他のレンズの位置を表示するようにしてもよい。例えば、撮像光学系１１が焦点距離を変更可能なズームレンズを有する場合には、ズームレンズの位置に関する情報である撮像光学系１１の焦点距離の変化を液晶表示部１７に表示するようにしてもよい。
【００６５】
さらに、操作リング１６を回転操作する際に、撮影者にクリック感を与えるクリック機構（クリック感発生部）を備えるとともに、クリック感の有無を切り替えるクリック切替機構を備える場合には、次のように液晶表示部１７を制御してもよい。
【００６６】
クリック機構は、操作リング１６の内側にボールおよびバネなどを備え、当該ボールおよびバネなどによって操作リング１６の回転操作の際にクリック感を与える機構であり、その構成は既知であるので説明を省略する。
【００６７】
上述のクリック機構を操作リング１６に配置するとともに、クリック感の有無を切り替えるクリック切替機構を配置する。クリック切替機構はクリック切替スイッチを備えており、当該クリック切替スイッチのＯＮ又はＯＦＦに応じてクリック機構をクリック感を発生させる状態とクリック感を発生させない状態に切り替える。
【００６８】
さらには、クリック機構は操作リング１６の一定の微小回転量毎にクリック感を発生させる。これによって、撮影者はクリック感が発生した回数を数えることによってどの程度、操作リング１６を回転させたかを認識することが容易となる。１回のクリック感が発生する所定の回転量に対して、フォーカスレンズ１１ａの駆動について制御可能な最小駆動量が設定されていれば、フォーカスレンズ１１ａの位置を繰り返して同一の位置に移動させて微調整することが容易になる。そして、フォーカスレンズ１１ａの位置を微調整する際には、所望のフォーカスレンズ１１ａの位置を読み取ることができるので、液晶表示部１７にはデジタル調表示を行うことが望ましい。
【００６９】
このため、クリック切替スイッチのＯＮを検出した際には、つまり、クリック機構によりクリック感が発生すると検出した場合には、レンズシステム制御部１２は撮影者が微調整動作を行うと判定して液晶表示部１７をデジタル調表示に切り替える。
【００７０】
また、上述の例では、操作リング１６の回転操作を回転量検出部１９で検出して、その検出結果に応じた回転速度に基づいて液晶表示部１７の表示を切り替えた。一方、表示設定モードに応じて液晶表示部１７の表示を切り替えるようにしてもよい。例えば、操作部２６によって設定可能な表示設定モードとしてアナログ調目盛表示モード、デジタル調数値表示モード、およびオート表示モードを準備する。
【００７１】
アナログ調目盛表示モードに設定されると、レンズシステム制御部１２は常に液晶表示部１７をアナログ調目盛表示とする。デジタル調数値表示モードに設定されると、レンズシステム制御部１２は常に液晶表示部１７をデジタル調数値表示とする。そして、オート表示モードに設定されると、前述のように、レンズシステム制御部１２は操作リング１６の回転量に基づいて、液晶表示部１７の表示を切り替える。
【００７２】
このように、本発明の第１の実施形態では、操作リング１６の回転量に応じて、液晶表示部１７の表示モードを第１の表示モードおよび第２の表示モードのいずれかに切り替える。この結果、フォーカスレンズなどの撮像光学系に係る情報について表示の際の視認性を向上させることができる。
【００７３】
［第２の実施形態］
続いて、本発明の第２の実施形態に係るカメラの一例について説明する。なお、第２の実施形態に係る撮影レンズおよびカメラの構成は図１および図２に示す撮影レンズおよびカメラと同様である。
【００７４】
図６は、本発明の第２の実施形態に係るカメラにおいて液晶表示部における表示を説明するための図である。そして、図６（ａ）はアナログ調目盛表示を示す図であり、図６（ｂ）および図６（ｃ）は図６（ａ）に示す状態からピント位置を移動させた際のアナログ調目盛表示を示す図である。また、図６（ｄ）および図６（ｅ）はデジタル調表示を示す図である。
【００７５】
図６（ａ）においては、ピント位置が約２．７ｍである場合のアナログ調目盛表示であり、ここでは、距離目盛２．７ｍの位置に目標指標５４が表示される。そして、図６（ａ）に示す状態からピント位置を移動させると、図６（ｂ）又は図６（ｃ）に示すアナログ調目盛表示となる。図示のように、目標指標５４は距離目盛列４２とともに水平方向に移動して表示される。
【００７６】
なお、図６（ｄ）および図６（ｅ）に示す例は、図３（ｃ）および図３（ｄ）に示す例に対応するものである。
【００７７】
図７は、本発明の第２の実施形態に係るカメラにおける液晶表示部の表示切替制御を説明するためのフローチャートである。なお、図７において、図４に示すフローチャートのステップと同一のステップについては同一の参照符号を付して説明を省略する。
【００７８】
ステップＳ１０２の処理の後、撮影者が目標位置設定を行うためプリセット釦（図示せず）を押し下げると、レンズシステム制御部１２は現在のピント位置が目標位置として設定する（ステップＳ２０３）。そして、撮影者が操作リング１６を回転操作すると、レンズシステム制御部１２はレンズ位置検出センサ１５による検出結果に応じてフォーカスレンズ１１ａの位置を得て現在のピント位置を算出する（ステップＳ２０４）。
【００７９】
例えば、撮影者が２．７ｍのピント位置に存在する被写体にピントを合わせて、プリセット釦によって目標位置に設定する。そして、撮影者が別の被写体が異なるピント位置にいるとして、操作リング１６を回転操作すると、図６（ｂ）に示すように、ピント位置が１．４ｍに変更される。この状態から、再度、元の被写体にピントを合わせるため、操作リング１６を回転操作すると、図６（ｃ）に示すように、ピント位置が再度移動して目標位置である２．７ｍとなる。
【００８０】
続いて、レンズシステム制御部１２は現在のピント位置ｘが目標位置ｔに対して所定範囲ｅ内に収まるか否かを判定する。つまり、レンズシステム制御部１２は、｜ｘ−ｔ｜≦ｅであるか否かを判定する（ステップＳ２０５）。｜ｘ−ｔ｜≦ｅであると（ステップＳ２０５において、ＹＥＳ）、レンズシステム制御部１２はステップＳ１０４の処理に進む。
【００８１】
その後、レンズシステム制御部１２はステップＳ１０６において、ピント位置の変化がない状態で一定時間が経過したか否かを判定する。そして、一定時間が経過しないと（ステップＳ１０６において、ＮＯ）、レンズシステム制御部１２はステップＳ２０４の処理に戻る。一方、一定時間が経過すると（ステップＳ１０６において、ＹＥＳ）、レンズシステム制御部１２は表示切替処理を終了する。
【００８２】
｜ｘ−ｔ｜＞ｅであると（ステップＳ２０５において、ＮＯ）、レンズシステム制御部１２はステップＳ１０７の処理に進む。その後、レンズシステム制御部１２はステップＳ２０４の処理に戻る。
【００８３】
例えば、所定範囲ｅを０．２ｍとし、現在のピント位置ｘが１．４ｍにあるとする。この場合、目標位置ｔ＝２．７から現在のピント位置ｘが１．３ｍ離れているので、図６（ｂ）に示すように、液晶表示部１７にはアナログ調目盛が表示される。
【００８４】
一方、図６（ｃ）に示すように、ピント位置ｘを目標位置ｔに近づけて、ピント位置ｘが目標位置ｔの±ｅ以内、つまり、２．５〜２．９ｍの範囲に収まると、図６（ｄ）に示すようにデジタル調数値が表示される。そして、ピント位置ｘが目標位置ｔと一致すると、図６（ｅ）に示すように、レンズ制御部１２はピント位置を示すデジタル調数値４３を反転表示する。
【００８５】
これによって、ピント位置を目標位置に合わせる際に、ピント位置の移動量が大きい場合にはアナログ調目盛表示が行われるので、撮影者は直感的にピント位置を視認することができる。一方、目標位置近傍に近づくと、デジタル調数値表示に切り替わるので、撮影者はピント位置を目標位置に精度よく合わせることができる。
【００８６】
なお、目標位置に対する所定範囲を、無限遠側と至近側とにおいて異なる値に設定するようにしてもよい。例えば、目標位置が２．７ｍの際の所定範囲を、２．５ｍから３．５ｍとして、無限遠側の範囲を大きくするようにしてもよい。
【００８７】
上述の例では、ピント位置が予め設定された目標位置に近づいた際にデジタル調数値表示を行うようにしたが、現在の被写界深度範囲を表示して、被写界深度範囲を含む所定の範囲に目標位置がある場合にデジタル調数値表示を行うようにしてもよい。
【００８８】
図８は、本発明の第２の実施形態に係るカメラにおいて目標位置ととともに現在のピント位置における被写界深度範囲を表示する例を説明するための図である。そして、図８（ａ）はアナログ調目盛表示を示す図であり、図８（ｂ）はデジタル調数値表示を示す図である。
【００８９】
図示の例では、目標位置を示す目標指標５４とともに、現在のピント位置ｘにおいて被写界深度指標５１ａおよび５１ｂで規定される被写界深度範囲が表示される。ここで、目標位置ｔを２．７ｍ、現在のピント位置ｘを１．３ｍ、現在のピント位置ｘにおける被写界深度範囲を含む所定範囲を０．８〜２．０ｍとする。この際、目標位置ｔは所定範囲外にあるので、図８（ａ）に示すように、アナログ調目盛表示が行われる。
【００９０】
図８（ｂ）には、図８（ａ）に示す状態からピント位置が無限遠側に移動した際のデジタル調数値表示が示されている。ここでは、被写界深度範囲値５３ａおよび５３ｂが表示されるとともに、目標位置ｔが目標値５５で反転表示される。
【００９１】
この場合には、ピント位置における被写界深度範囲１．２〜２．６ｍを含む所定範囲が１．０〜２．９ｍに設定されている。そして、被写界深度範囲を含む所定範囲に目標値５５が収まっているので、デジタル調数値表示が行われる。
【００９２】
このようにして、アナログ調目盛表示とデジタル調数値表示とを切り替えることによって、１つの位置に目標とする被写体があって、当該被写体が現在のピント位置における被写界深度範囲に入るか否かを容易に確認することができる。その結果、例えば、目標位置と異なる位置に別の被写体が存在する場合に、いずれの被写体も被写界深度範囲に入って合焦状態となるようにピント位置の操作を容易に行うことができる。
【００９３】
このように、本発明の第２の実施形態では、１つのピント位置を目標位置として設定した後、操作リングを操作してフォーカスレンズを移動させた際にピント位置が目標位置を含む所定範囲にあるとデジタル調数値表示を行う。これによって、撮影者は目標位置にピント位置を精度よく調整することができる。
【００９４】
［第３の実施形態］
続いて、本発明の第３の実施形態に係るカメラの一例について説明する。
【００９５】
図９は、本発明の第３の実施形態に係るカメラの一例を説明するための図である。そして、図９（ａ）はカメラを破断してその内部を示す図であり、図９（ｂ）はカメラを上側から見た図である。なお、図９において、図１に示すカメラと同一の構成要素については、同一の参照番号を付して説明を省略する。
【００９６】
図９に示すカメラでは、操作リング１６の代わりにタッチ式操作リング５１が備えられており、タッチ式操作リング５１内部には、押圧力を検出するための感圧センサ５２が配置されている。
【００９７】
図１０は、図９に示すカメラの制御系の一例を示すブロック図である。
【００９８】
図９および図１０を参照して、接触操作部であるタッチ式操作リング５１は操作リング１６と同様に撮影レンズ１の円周方向に沿ってリング状に配置される。そして、タッチ式操作リング５１内に接触操作を検出するための感圧センサ５２が同様にリング状に配置される。
【００９９】
タッチ式操作リング５１の外周面は、撮影者が指を滑らかに動かせるように摺動性の高い表面処理が施されている。撮影者がタッチ式操作リング５１を指で触れ、触れた状態で指を円周方向に移動させると、感圧センサ５２によって指による接触位置と押圧力とが検出される。
【０１００】
感圧センサ５２による検出結果はレンズシステム制御部１２に送られる。そして、レンズシステム制御部１２は接触位置の移動量に応じてレンズ駆動部１４によってフォーカスレンズ１１ａを移動させる。このようにして、タッチ式操作リング５１を触ることによって、撮影者はフォーカスレンズ１１ａを所望の位置に移動させることができる。
【０１０１】
さらに、感圧センサ５２はタッチ式操作リング５１を触れて押圧した際の押圧力を少なくとも２段階で検出することができる。ここでは、撮影者がタッチ式操作リング５１に軽く触れていると、感圧センサ５２は押圧力が低いと検出する。一方、強く握っていると、感圧センサ５２は押圧力が高いと検出する。
【０１０２】
例えば、すばやくフォーカスレンズ１１ａを移動させたい場合には、タッチ式操作リング５１に軽く指で触れてすばやく指を移動させればよい。この場合には、フォーカスレンズ１１ａの移動速度は速いので、アナログ調目盛表示の方が視認しやすい。このため、感圧センサ５２によって検出された押圧力が所定値よりも低いと、レンズシステム制御部１２はアナログ調目盛表示を行う。
【０１０３】
一方、フォーカスレンズ１１ａを少しずつ移動させて微調整を行いたい場合には、指でしっかりとタッチ式操作リング５１を握るか又は接触面を強く押すことになる。そして、フォーカスレンズ１１ａの位置を微調整する場合には、デジタル調数値表示の方が視認しやすい。このため、感圧センサ５２によって検出された押圧力が所定値以上の場合には、レンズシステム制御部１２はデジタル調数値表示を行う。
【０１０４】
このように、本発明の第３の実施形態では、感圧センサによる検知結果に応じて液晶表示部における表示を切り替えるようにしたので、撮影者の意図に応じて液晶表示部１７の視認性を高めることができる。
【０１０５】
［第４の実施形態］
次に、本発明の第４の実施形態に係るカメラの一例について説明する。
【０１０６】
図１１は、本発明の第４の実施形態に係るカメラの一例を説明するための図である。そして、図１１（ａ）はカメラを破断してその内部を示す図であり、図１１（ｂ）はカメラを上側から見た図である。なお、図１１において、図１に示すカメラと同一の構成要素については、同一の参照番号を付して説明を省略する。
【０１０７】
図１１に示すカメラでは、撮影レンズ１の下部には外部装置が取り付け可能な取付機構が配置されている。例えば、ここでは、外部装置として、外部操作命令を行うためのパワーフォーカスアダプター６が配置されている。さらに、撮影レンズ１の下部には外部装置と通信を行う外部装置電気接点６４ｂが設けられている。そして、パワーフォーカスアダプター６が撮影レンズ１に装着された際には、パワーフォーカスアダプター６に備えられた外部装置電気接点６４ａが外部装置電気接点６４ｂに接続される。
【０１０８】
図１２は、図１１に示すカメラの制御系の一例を示すブロック図である。なお、図１２においては、外部装置電気接点は参照番号６４で示されている。
【０１０９】
図１１および図１２を参照して、パワーフォーカスアダプター６は操作レバー６５、切り替えスイッチ６６、外部装置操作検出部６２、外部装置制御部６１、ギア駆動部６７、およびパワーフォーカスギア６３を有している。そして、操作レバー６５は撮影者によって操作され、切り替えスイッチ６６によってフォーカスレンズ１１ａの駆動速度モードが切り替えられる。また、外部装置操作検出部６２は操作レバー６５の操作および切り替えスイッチ６６の切り替え操作を検出する。
【０１１０】
なお、図１１（ａ）は断面図であるので、操作レバー６５および切り替えスイッチ６６は不可視であるが、説明の便宜上図１１（ａ）には示されている。
【０１１１】
前述のように、撮影レンズ１にパワーフォーカスアダプター６が取り付けられると外部装置電気接点６４ａおよび６４ｂが接続されて、レンズシステム制御部１２と外部装置制御部６１との通信が可能となる。
【０１１２】
フォーカスレンズ１１ａの駆動速度モードには、例えば、駆動速度が速いハイモードと、ハイモードよりも駆動速度が遅いローモードとがある。そして、切り替えスイッチ６６を操作することによって、駆動速度モードをハイモードおよびローモードに選択的に切り替えることができる。
【０１１３】
操作レバー６５は、プラス部６５ａおよびマイナス部６５ｂを有し、撮影者は操作レバー６５をプラス部６５ａの位置、マイナス部６５ｂの位置、両者の中立位置の３位置に操作することができる。操作レバー６５がプラス部６５ａに押圧されている際には、外部装置制御部６１はフォーカスレンズ１１ａを無限遠側に移動する駆動命令（無限遠命令）を送出する。操作レバー６５がマイナス部６５ｂに押圧されている際には、外部装置制御部６１はフォーカスレンズ１１ａを至近側に移動する駆動命令（至近命令）を送出する。駆動レバー６５が中立位置にある際には、外部装置制御部６１は駆動命令を送出しない。
【０１１４】
前述のように、外部操作検出部６２は切り替えスイッチ６６および操作レバー６５の操作を検出する。そして、外部装置制御部６１は外部操作検出部６２による検出結果に応じてギア駆動部６７を駆動制御する。つまり、外部装置制御部６１は操作レバー６５の操作に応じてフォーカスレンズ１１ａの移動方向を制御し、切り替えスイッチ６６の位置に応じてフォーカスレンズ１１ａの駆動速度を制御することになる。
【０１１５】
ギア駆動部６７はモーターを有しており、当該モーターの回転軸には減速器（図示せず）を介してパワーフォーカスギア６３が連結されている。パワーフォーカスギア６３は、撮影レンズ１に取り付けられた際に操作リング１６（図１１（ａ）には参照番号１６ａで示す）と連結され、モーターの駆動に応じて操作リング１６に回転力を伝達する。
【０１１６】
つまり、ギア駆動部６７が回転すると、減速器を介しパワーフォーカスギア６３が所定の速度で回転して、撮影者の指示に応じた速度および方向に操作リング１６が回転する。これによって、フォーカスレンズ１１ａが光軸１０に沿って移動する。
【０１１７】
このように、操作レバー６５を操作することによって、所定の速度でフォーカスレンズ１１ａを移動させることができる結果、撮影者は滑らかにピントの変更を行うことができる。なお、図示の例では、ギア駆動部６７としてモーターを用いたが、他のアクチュエータを用いるようにしてもよい。
【０１１８】
ここで、液晶表示部１７の表示制御について説明する。
【０１１９】
撮影レンズ１にパワーフォーカスアダプター６が装着されると、レンズシステム制御部１２はパワーフォーカスアダプター６に備えられた切り替えスイッチ６６の状態を検出する。切り替えスイッチ６６がハイモードであると、レンズシステム制御部１２は液晶表示部１７をアナログ調目盛表示に切り替える。
【０１２０】
ハイモードの場合には、フォーカスレンズ１１ａが素早く動くのでアナログ調目盛表示の方が撮影者にとっては視認性がよく、そして、直感的な操作で目標位置にフォーカスレンズ１１ａを移動させることができるため操作性がよい。
【０１２１】
一方、切り替えスイッチ６６がローモードの際には、レンズシステム制御部１２は液晶表示部１７をデジタル調数値表示に切り替える。ローモードの場合には、フォーカスレンズ１１ａがゆっくり動くのでデジタル調数値表示であっても、数値の変化によるちらつきが少なくピント位置の調整を正確に行い易くなる。
【０１２２】
このように、本発明の第４の実施形態では、パワーフォーカスアダプター６状態を検出して、液晶表示部１７の表示を切り替えるようにしたので、撮影レンズ１を操作する際の液晶表示部１７の視認性を向上させることができる。
【０１２３】
なお、上述の例では、外部操作命令装置として、フォーカスレンズ１１ａの駆動を命令するパワーフォーカスアダプターを例に挙げて説明したが、その他の外部操作命令手段を用いても本発明を適応することができる。例えば、撮影レンズ１が焦点距離を変更可能なズームレンズを有するとともに、ズームレンズを駆動させるズーム操作リングを有しているとする。そして、液晶表示部１７にはズームレンズの焦点距離が表示されるものとする。
【０１２４】
この場合、撮影レンズ１に、外部操作命令装置としてパワーフォーカスアダプター６と同様の構成を有するパワーズームアダプターが取り付けられる。そして、切り替えスイッチおよび操作レバーの操作によってズームレンズを駆動する。この際、パワーズームアダプターに備えられた切り替えスイッチの状態を検出して、パワーフォーカスアダプター６が取り付けられた場合と同様にして液晶表示部１７の表示を切り替えるようにする。
【０１２５】
さらに、外部操作命令装置が撮影レンズに取り付けられた場合に、次のようにして液晶表示部１７の表示を切り替えるようにしてもよい。
【０１２６】
前述の例では、パワーフォーカスアダプター６において操作レバー６５がプラス部又はマイナス部に押圧されると、フォーカスレンズ１１ａを所定の速度で駆動する。この場合、フォーカスレンズ１１ａを所定の速度で駆動しても、ピント位置に係る数値は線形に変化しない。例えば、図３（ａ）に示す目盛り０．５ｍから１．０ｍまでの長さと目盛り１．０ｍｍから１．５ｍｍまでの長さが異なっているので、ピント位置の変化が非線形でないことが分かる。
【０１２７】
言い替えると、１つのピント位置からフォーカスレンズ１１ａが所定の量（距離）を移動した場合においても、移動開始前のピント位置によってピント位置の移動量は異なる。例えば、ピント位置が無限遠側付近にあった場合に、フォーカスレンズ１１ａが１ｍｍ移動したとする。この場合、ピント位置が２ｍ分移動したとしても、移動開始前のピント位置が至近側付近から移動した場合にはピント位置が２ｍよりも少ない、例えば、０．５ｍ分しか移動しないことがある。
【０１２８】
さらに、フォーカスレンズ１１ａが無限遠側に移動するか又は至近側に移動するかによってもピント位置の移動量は異なる。つまり、所定の速度でフォーカスレンズ１１ａを駆動させたとしても、液晶表示部１７がデジタル調数値表示の場合には数値変化は指数的であるので、表示のちらつきが生じて直感的な視認性が低下する。
【０１２９】
一方、アナログ調目盛表示であれば、目盛位置は非線形に配置されているので、違和感少なく視認することができる。よって、フォーカスレンズ１１ａの駆動速度が所定の速度（つまり、一定）の場合にはアナログ調目盛表示の方が視認性がよい場合がある。
【０１３０】
このため、外部装置電気接点６４を介してパワーフォーカスアダプター６が取り付けられたと判定した場合には、レンズシステム制御部１２は液晶表示部１７をアナログ調目盛表示に切り替えるようにしてもよい。
【０１３１】
［第５の実施形態］
次に、本発明の第５の実施形態に係るカメラの一例について説明する。
【０１３２】
図１３は、本発明の第５の実施形態に係るカメラの一例を破断してその内部を示す図である。なお、図１３において、図１に示すカメラと同一の構成要素については、同一の参照番号を付して説明を省略する。
【０１３３】
また、図１４は、図１３に示すカメラの制御系の一例を示すブロック図である。
【０１３４】
図１３および図１４を参照して、図示のカメラでは、撮影レンズ１とカメラボディ２との間に着脱可能なエクステンションチューブ７が配置されている。図１３において斜線で示すエクステンションチューブ７は中空構造であり、撮影レンズ１を通過した光学像はエクステンションチューブ７によって遮られることなく、ミラーユニット２３又は撮像素子２２に達する。
【０１３５】
エクステンションチューブ７を取り付けることによって撮影レンズ１の結像位置がレンズ側（図１３において左側）に移動する。この結果、撮影レンズ１においてピント位置を合わせることができる最短至近距離を短くすることができる。
【０１３６】
さらに、エクステンションチューブ７には導通部７１が備えられている。導通部７１はカメラボディ２側の電気接点２７ａと撮影レンズ１側の電気接点２７ｂとの双方に電気的に接続される。これによって、レンズシステム制御部１２とカメラシステム制御部２１との通信が可能となる。
【０１３７】
さらに、レンズシステム制御部１２は電気接点２７ｂを介してエクステンションチューブ７が取り付けられたか否かを検出する。例えば、電気接点２７ｂに複数の結線を備える。そして、カメラボディ２に撮影レンズ１が直接取り付けられている場合には全ての結線が導通し、エクステンションチューブ７が取り付けられると、一部の結線が導通しなくなるようにする。
【０１３８】
なお、エクステンションチューブ７に備えられた導通部７１の抵抗値に応じた電圧の変化を検出して、エクステンションチューブ７が取り付けられたか否かを検出するようにしてもよい。
【０１３９】
ここで、図示のカメラにおける液晶表示部１７の表示の制御について説明する。
【０１４０】
撮影レンズ１とカメラボディ２との間にエクステンションチューブ７が配置された場合には、前述のように、撮影レンズ１において撮像光学系１１の結像位置が移動する。その結果、ピント位置の移動可能範囲における至近側の端である最短至近距離が短くなる。さらに、ピント位置の移動可能範囲におけるもう一方の端が無限遠であったが有限距離に変化する。
【０１４１】
よって、エクステンションチューブ７が取り付けられた場合には、液晶表示部１７の表示を変更する必要がある。エクステンションチューブ７はピント位置を合わせることができる最短至近距離を短くできるので、一般的に至近撮影、所謂マクロ撮影を行う際に取り付けられことが多い。
【０１４２】
マクロ撮影の際に、撮影者が操作リング１６を操作してピント位置を調整する場合には、フォーカスレンズ１１ａを微小駆動させつつ調整を行うことが多い。この場合には、液晶表示部１７には常にデジタル調数値表示を行う方が撮影者にとっては視認性がよい。
【０１４３】
このため、レンズシステム制御部１２はエクステンションチューブ７１が取り付けられたと判定すると、液晶表示部１７をデジタル調数値表示に切り替える。これによって、エクステンションチューブ７１が取り付けられた場合には、撮影者にとって視認性がよい表示を行うことができる。
【０１４４】
なお、上述の例では、エクステンションチューブ７１の取り付けを、電気接点２７ｂを介して電気的に行うとした。一方、カメラボディ２に備えられた画像表示部２５を見て操作部２６によってエクステンションチューブ７１の接続の有無を入力するようにしてもよい。エクステンションチューブ７１が接続された際には、操作部２６の操作に応じて、エクステンションチューブ７１の接続状態情報がカメラシステム制御部２１からレンズシステム制御部１２に送られる。そして、レンズシステム制御部１２は接続状態情報に応じてエクステンションチューブ７１の接続を知る。
【０１４５】
エクステンションチューブ７１の他の外部撮像光学系変更装置として、例えば、マウントアダプターがある。マウントアダプターはマウント形状およびフランジバックが異なるカメラボディに撮影レンズを取り付ける際に用いられる。そして、マウントアダプターはカメラボディと撮影レンズとの間に配置される。
【０１４６】
図１５は、マウントアダプターが取り付けられたカメラの一例を破断してその内部を示す図である。
【０１４７】
図１５においては、カメラボディが図１に示すカメラボディと異なり、所謂ミラーレスカメラボディ２００である。ミラーレスカメラボディ２００はミラーユニット２３およびファインダ光学系２８が備えられておらず、そのフランジバックがカメラボディ２よりも短くマウント径がカメラボディ２と異なる。
【０１４８】
このため、マウントアダプター８を撮影レンズ１とミラーレスカメラボディ２００との間に配置して撮影レンズ１をマウントアダプター８に対して着脱可能とする。この場合、マウントアダプター８によってミラーレスカメラボディ２００のフランジバックをカメラボディ２と一致するようにしている。
【０１４９】
マウントアダプター８には導通部８１が備えられている。導通部８１はカメラボディ２側の電気接点２７ａと撮影レンズ１側の電気接点２７ｂとの双方に電気的に接続される。
【０１５０】
ところが、マウントアダプター８を用いると、マウント径およびフランジバックなどの規格が異なるカメラボディに撮影レンズ１を取り付けることができるものの、次のような問題が発生する。
【０１５１】
カメラボディの規格が異なるので、レンズシステム制御部１２が撮像素子のサイズおよび画素ピッチに係る情報を得られないことがある。この場合には、レンズシステム制御部１２は当該情報に応じて被写界深度を正確に求めることができないことがある。
【０１５２】
このような場合、液晶表示部１７の表示がデジタル調数値表示であって、図５（ｂ）に示すように被写界深度を表示していると、実際の被写界深度と表示された被写界深度とが合致しない。この結果、撮影者の意図とは異なるピント状態に陥ることがあって操作性が低下してしまう。
【０１５３】
一方、液晶表示部１７の表示がアナログ調目盛表示の場合には、被写界深度の表示は大まかな表示であるので、撮影者には実際の被写界深度と表示された被写界深度との誤差が認知されにくく操作性の低下が少ない。
【０１５４】
さらに、マウントアダプター８自体の光軸方向の長さ、つまり、装着した際のフランジバックの変化量が不明である場合にも正確なピント位置および被写界深度を算出することができず上述の問題が生じる。
【０１５５】
このため、マウントアダプター８および撮像素子における画素ピッチなどを含む光学系情報が得られない場合には、液晶表示部１７をアナログ調目盛表示に切り替えるようにしてもよい。このようにすることによって、撮影者は実際のピント位置および被写界深度と液晶表示部１７の表示との間に誤差があっても、誤差が認識されずに操作性の低下を防ぐことができる。
【０１５６】
このように、本発明の第５の実施形態では、撮影レンズとカメラボディとの間に外部撮像光学系変更装置が装着された場合においても、レンズ光学系に係る情報について表示の際の視認性を向上させることができる。
【０１５７】
以上、本発明について実施の形態に基づいて説明したが、本発明は、これらの実施の形態に限定されるものではなく、この発明の要旨を逸脱しない範囲の様々な形態も本発明に含まれる。
【０１５８】
例えば、上記の実施の形態の機能を制御方法として、この制御方法をレンズ鏡筒に実行させるようにすればよい。また、上述の実施の形態の機能を有するプログラムを制御プログラムとして、当該制御プログラムをレンズ鏡筒が備えるコンピュータに実行させるようにしてもよい。なお、制御プログラムは、例えば、コンピュータに読み取り可能な記録媒体に記録される。
【０１５９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１６０】
１  撮影レンズ
２  カメラボディ
１１ａ  フォーカスレンズ
１２  レンズシステム制御部
１５  レンズ位置検出センサ
１６  操作リング
１７  液晶表示部
１９  回転量検出部
２１  カメラシステム制御部
２２  撮像素子
【図１】
2019074598.tif 000003
【図２】
2019074598.tif 000004
【図３】
2019074598.tif 000005
【図４】
2019074598.tif 000006
【図５】
2019074598.tif 000007
【図６】
2019074598.tif 000008
【図７】
2019074598.tif 000009
【図８】
2019074598.tif 000010
【図９】
2019074598.tif 000011
【図１０】
2019074598.tif 000012
【図１１】
2019074598.tif 000013
【図１２】
2019074598.tif 000014
【図１３】
2019074598.tif 000015
【図１４】
2019074598.tif 000016
【図１５】
2019074598.tif 000017